(57)【特許請求の範囲】
【請求項１】
上端に穀物補給口が形成された外箱の内部に、上端に穀物取り出し口が形成された内箱が直立状態で収納され、前記穀物補給口が蓋板によって開閉自在に塞がれており、
前記内箱は、その底面の予め定めた支点を中心として前後に旋回自在の状態で、前記外箱の下端部分に取り付けた支持部材の上に乗っており、
前記外箱の前面には、前記内箱を前方に引き出すための内箱引き出し口が形成されており、
前記内箱には、当該内箱の後ろ側への旋回を阻止する後ろ側ストッパと、当該内箱の前方への旋回を阻止する前側ストッパとが取り付けられており、
前記内箱を前記支点を中心として前側に旋回すると、当該内箱の穀物取り出し口が前記内箱引き出し口から外部に露出し、前記内箱を前記支持部材から持ち上げて前方に引き出すことにより当該内箱を外箱から取り外すことが可能となっていることを特徴とする穀物収納箱。
【発明の詳細な説明】
【０００１】
【発明の属する技術分野】
本発明は、米等の穀物の収納に適した穀物収納箱に関するものである。
【０００２】
【従来の技術】
一般家庭で用いられている米びつは、その上側に米投入口が形成され、その下側に米取り出し口が形成されており、レバー等を操作すると米取り出し口から一定量の米が排出されるように構成されている。
【０００３】
【発明が解決しようとする課題】
しかしながら、従来の米びつには次のような問題点がある。
【０００４】
まず、米には虫が付き易いので内部の清掃が必要である。しかし、従来の米びつは投入口も取り出し口も小さいので、内部の掃除が非常に難しい。
【０００５】
また、取り出し口が下側に形成されているので、米びつの足元のスペースを広く確保しておく必要がある。従って、狭い場所に多くの物を配置する必要のある一般家庭の台所等では、米びつの置き場所に苦労する。また、屈んだ状態で取り出す必要があるので、米の取り出し動作も窮屈なものになってしまう。
【０００６】
本発明の課題は、内部の掃除を簡単に行うことができ、設置スペースも少なくて済み、しかも、穀物を簡単に取り出すことができる穀物収納箱を提案することにある。
【０００７】
【課題を解決するための手段】
上記課題を解決するために、本発明の穀物収納箱は、上端に穀物補給口が形成された外箱の内部に、上端に穀物取り出し口が形成された内箱が直立状態で収納され、前記穀物補給口が蓋板によって開閉自在に塞がれた構造となっている。
【０００８】
また、前記内箱は、その底面の予め定めた支点を中心として前後に旋回自在の状態で、前記外箱の下端部分に取り付けた支持部材の上に乗っている。前記外箱の前面には、前記内箱を前方に引き出すための内箱引き出し口が形成されている。前記内箱には、当該内箱の後ろ側への旋回を阻止する後ろ側ストッパと、当該内箱の前方への旋回を阻止する前側ストッパとが取り付けられている。そして、前記内箱を前記支点を中心として前側に旋回すると、当該内箱の穀物取り出し口が前記内箱引き出し口から外部に露出し、前記内箱を前記支持部材から持ち上げて前方に引き出すことにより当該内箱を外箱から取り外すことが可能となっている。
【０００９】
このように、本発明の穀物収納箱においては、米等の穀物が収納されている内箱は、外箱の支持部材に乗っているだけなので、当該内箱を持ち上げれば、外箱から取り出すことができる。よって、内箱の内部の清掃を簡単に行うことができる。
【００１０】
また、内箱を前方に旋回させて引き出すと、その前側ストッパが外箱に当たり、内箱はその穀物取り出し口が外部に露出した状態に保持される。よって、この穀物取り出し口から、必要量の穀物を取り出すことができる。従来のように、下端位置に穀物取り出し口が付いている場合に比べて、足元のスペースを広く確保しておく必要が無くなるので、穀物収納箱の置き場所に苦労することがなくなる。また、穀物の取り出し作業も楽な姿勢で行うことができる。
【００１１】
さらに、外箱の上端の蓋板を外せば、そこから内箱の穀物取り出し口が露出するので、穀物の補給も簡単に行うことができる。
【００１２】
【発明の実施の形態】
以下に、図面を参照して、本発明を適用した穀物収納箱を説明する。
【００１３】
（全体構造）
図１は本例の穀物収納箱の外観斜視図、図２は穀物収納箱の外箱の斜視図、図３は穀物収納箱の内側容器の斜視図である。まず、図１を参照して説明すると、本例の穀物収納箱１は木製であり、穀物取り出し口６１が上端に形成された内箱３と、この内箱３を直立状態で収容している外箱２と、この外箱２の上端に形成されている穀物補給口３１を封鎖している蓋板４とを有している。
【００１４】
（外箱の構造）
図２に示すように、外箱２は、第１および第２の脚部材１１、１２と、脚部材１１、１２の上面部に立てられた第１〜第４の支柱部材１３〜１６と、支柱部材１３〜１６の下側で支柱部材同士の間にかけ渡された第１〜第３の下側梁部材１７〜１９と、支柱部材１３〜１６の上側で支柱部材同士の間にかけ渡された第１〜第４の上側梁部材２０〜２３とを有している。これらの脚部材１１、１２、支柱部材１３〜１６、下側梁部材１７〜１９および上側梁部材２０〜２３は角材から形成されている。
【００１５】
第１および第２の脚部材１１、１２は、互いに平行な状態で設置面に沿って水平に延びている。
【００１６】
第１および第２の脚部材１１、１２の前側と後側の上面には第１〜第４の支柱部材１３〜１６が立てられている。脚部材１１、１２の前側にそれぞれ立てられた第１および第２の支柱部材１３、１４は、脚部材１１、１２の前端部よりも若干後退した位置から上方に向けて垂直に延びている。また、脚部材１１、１２の後側にそれぞれ立てられた第３および第４の支柱部材１５、１６は、脚部材１１、１２の後端部から上方に向けて垂直に延びている。
【００１７】
第１の支柱部材１３と第３の支柱部材１５の間のうち、脚部材１１よりも僅かに上方の部位には、第１の下側梁部材１７が水平にかけ渡されている。第２の支柱部材１４と第４の支柱部材１６の間には、第１の下側梁部材１７と同じ高さで水平に延びる第２の下側梁部材１８がかけ渡されている。第３の支柱部材１５と第４の支柱部材１６の間には、第１および第２の下側梁部材１７、１８と同じ高さで水平に延びる第３の下側梁部材１９がかけ渡されている。
【００１８】
また、第１の支柱部材１３と第２の支柱部材１４の上端部同士の間には、第１の上側梁部材２０が水平にかけ渡されている。第１の支柱部材１３と第３の支柱部材１５の上端部同士の間には、第２の上側梁部材２１が水平にかけ渡されている。第２の支柱部材１４と第４の支柱部材１６の上端部同士の間には、第３の上側梁部材２２が水平にかけ渡されている。第３の支柱部材１５と第４の支柱部材１６の上端部同士の間には、第４の上側梁部材２３が水平にかけ渡されている。
【００１９】
このように角材で直方体に構成された外枠の三方の側面部には、第１〜第３の側板２７〜２９が取り付けられている。
【００２０】
すなわち、第１および第３の支柱部材１３、１５と、第１の下側梁部材１７と、第２の上側梁部材２１とからなる長方形の枠部分には第１の側板２７が取り付けられている。第２および第４の支柱部材１４、１６と、第２の下側梁部材１８と、第３の上側梁部材２２とからなる長方形の枠部分には第２の側板２８が取り付けられている。第３および第４の支柱部材１５、１６と、第３の下側梁部材１９と、第４の上側梁部材２３とからなる長方形の枠部分には第３の側板２９が取り付けられている。
【００２１】
また、第１および第２の下側梁部材１７、１８の間のうち、前後方向の中央よりもやや前方寄りの位置には、角材からなる底部支持部材２４が第３の下側梁部材１９と平行にかけ渡されている。この底部支持部材２４の上面には、支持棒２５が底部支持部材２４に沿って延びた状態で固定されている。
【００２２】
さらに、第１〜第３の下側梁部材１７〜１９と、底部支持部材２４とからなる矩形の枠部分には、底板２６が取り付けられている。
【００２３】
この外箱２の上側開口は穀物補給口３１であり、ここには、蓋板４が取り付けられている。前面の開口は、米取り出し時に内箱３を引き出すと共に、内箱清掃時に内箱３を取り出すための内箱引き出し口３０である。
【００２４】
図１に示すように、外箱２の上端の穀物補給口３１を開閉するための蓋板４は、長方形板状の蓋本体７１と、蓋本体７１の下面に取り付けられた一対のガイド部材７２、７３とから構成されている。一対のガイド部材７２、７３は角棒状に形成され、互いに平行に配列されている。このガイド部材７２、７３の外側を向いた側面部７２ａ、７３ａが外箱２の第１および第４の上側梁部材２０、２３の内面に当たることにより、蓋板４の前後の位置決めが行われる。また、ガイド部材７２、７３の端面部７２ｂ、７３ｂが外箱２の第２および第３の上側梁部材２２、２３の内面に当たることにより、蓋板４の左右の位置決めが行われる。この位置決めされた状態で蓋本体７１の外周部が外箱２の第１〜第４の上側梁部材２０〜２３の上に載せられて、外箱２の上側開口３１が塞がれる。
【００２５】
（内箱の構造）
図３は内箱３の構造を示す斜視図である。内箱３は、第１〜第４の垂直枠部材４１〜４４と、垂直枠部材４１〜４４の下端部同士の間にかけ渡された第１〜第４の底部枠部材４５〜４８と、垂直枠部材４１〜４４の上側で垂直枠部材同士の間にかけ渡された第１〜第４の上側枠部材５１〜５４を有している。これらの垂直枠部材４１〜４４、底部枠部材４５〜４８、および上側枠部材５１〜５４は角材から形成されている。
【００２６】
第１〜第４の垂直枠部材４１〜４４は、それぞれ、直方体の上下に延びる四辺に沿って配列されている。
【００２７】
第１および第２の垂直枠部材４１、４２の下端部同士の間には、第１の底部枠部材４５がかけ渡されている。第１および第３の垂直枠部材４１、４３の下端部同士の間には、第２の底部枠部材４６がかけ渡されている。第２および第４の垂直枠部材４２、４４の下端部同士の間には、第３の底部枠部材４７がかけ渡されている。第３および第４の垂直枠部材４３、４４の下端部同士の間には、第４の底部枠部材４８がかけ渡されている。
【００２８】
また、第１および第２の垂直枠部材４１、４２の上端部同士の間には、第１の上側枠部材５１がかけ渡されている。第１および第３の垂直枠部材４１、４３の間には、その上端部４１ａ、４３ａよりも僅かに下がった位置に第２の上側枠部材５２がかけ渡されている。第２および第４の垂直枠部材４１、４３の間には、第２の上側枠部材５２と同じ高さで第３の上側枠部材５３がかけ渡されている。第３および第４の垂直枠部材４３、４４の間には、第２および第３の上側枠部材５２、５３と同じ高さで第４の上側枠部材５４がかけ渡されている。
【００２９】
この角材で直方体に構成された外枠の四方の側面部には第１〜第４の側板５５〜５８が取り付けられ、底部には底板６０が取り付けられている。
【００３０】
すなわち、第１〜第４の底部枠部材４５〜４８からなる長方形の枠部分には、底板６０が取り付けられている。第１および第２の垂直枠部材４１、４２と、第１の底部枠部材４５と、第１の上側枠部材５１とからなる長方形の枠部分には第１の側板５５が取り付けられている。第１および第３の垂直枠部材４１、４３と、第２の底部枠部材４６と、第２の上側枠部材５２とからなる長方形の枠部分には第２の側板５６が取り付けられている。第２および第４の垂直枠部材４２、４４と、第３の底部枠部材４７と、第３の上側枠部材５３とからなる長方形の枠部分には第３の側板５７が取り付けられている。第３および第４の垂直枠部材４３、４４と、第４の底部枠部材４８と、第４の上側枠部材５４からなる長方形の枠部分には第４の側板４８が取り付けられている。
【００３１】
また、第１の上側枠部材５１の前面には、取っ手５９が取り付けられている。さらに、第２および第３の底部枠部材４６、４７の前後方向の中央よりもやや前方寄りの位置には、半円状に切り欠かれた溝部４９、５０が形成されている。さらにまた、第３および第４の垂直枠部材４３、４４の上端部４３ａ、４４ａの前方を向いた角部４３ｂ、４４ｂには比較的大きな曲面状の面取りが施されている。
【００３２】
（穀物の取り出し操作）
次に、図４（Ａ）は外箱２に内箱３を収納した状態の説明図である。この図に示すように、内箱３は、外箱２に取り付けられた水平な支持棒２５の上に第２および第３の底部枠部材４６、４７が載せられた状態で外箱２に収納されている。この状態では、第２および第３の底部枠部材４６、４７に形成された溝部４９、５０が外箱２の支持棒２５に対して上側から嵌まっている。
【００３３】
ここで、内箱３の溝部４９、５０は、内箱２の重心よりも前方にあるので、内箱３は、支持棒２５を中心として後方に傾く方向にその荷重がかかっている。従って、内箱３の第３および第４の垂直枠部材４３、４４の上端部４３ａ、４４ａ（後ろ側ストッパ）が外箱２の第４の上側梁部材２３に当たり、内箱３が垂直な姿勢に保たれている。また、多少の振動や傾きでは、内箱３が前方に倒れてしまうことがない。
【００３４】
この直立状態では、外箱２から蓋板４を取り外して穀物補給口３１を開けることにより、内箱３の穀物取り出し口６１から内箱内に米等を入れることができる。
【００３５】
また、内箱３の底面部と外箱２の底板２６との間には隙間８０が形成されている。従って、この隙間８０に木炭やシリカゲル等の乾燥剤を入れることができるので、内箱３に収納された米等を湿気から保護することができる。
【００３６】
次に、矢印Ａで示すように内箱３の取っ手５９を手前に引っ張ると、図４（Ｂ）に示すように、支持棒２５を中心として内箱３が傾き、内箱３の上側部分が外箱２の内箱引き出し口３０から前方に引き出される。この時、内箱３の第３および第４の垂直枠部材４３、４４における上端部４３ａ、４４ａの前側の角部４３ｂ、４４ｂが、外箱２の第１の上側梁部材２０に当たり、内箱３の傾き限界を規定する前側ストッパとなる。すなわち、内箱３に形成された角部４３ｂ、４４ｂが外箱２の第１の上側梁部材２０に当たると、内箱３のそれ以上の傾きが止められる。従って、内箱３を傾かせたときに内箱３が外箱２から抜け落ちてしまうことがない。
【００３７】
この傾き姿勢では、内箱３に形成された穀物取り出し口６１が全開状態になる。従って、穀物取り出し口６１から米等を取り出すことができる。穀物の取り出しを終えた後は、内箱３の上部を後方に押して図４（Ａ）に示す直立状態（収納状態）に戻す。
【００３８】
このように、内箱３の上側部分を内箱引き出し口３０から前方に引き出すという簡単な操作によって、穀物の取り出しを行うことができる。
【００３９】
（内箱の取り外し操作）
一方、内箱３は、内箱引き出し口３０を介して外箱２から取り外すことができる。すなわち、図５に示すように、内箱３を僅かに傾けると、内箱３の第２および第３の上側枠部材５２、５３の上面部５２ａ、５３ａと、外箱２の第１の上側梁部材２０の下面部２０ａとの間に隙間ができる。従って、この隙間を利用して、矢印Ｂで示すように、内箱３を上方に持ち上げると、内箱３の溝部４９、５０が外箱２の支持棒２５から外れる。しかる後に、矢印Ｃで示すように、内箱３を手前に引き出すと、内箱３を外箱２から取り外すことができる。また、上記の逆の操作を行えば、内箱２を外箱３に取り付けることができる。従って、米等が出し入れされる内箱３を簡単に清掃することができる。
【００４０】
（その他の実施の形態）
なお、本例の穀物収納箱１は木材から形成されているが、プラスチックや金属等で形成してもよい。
【００４１】
また、外箱２および内箱３の形状は直方体形状に限らない。例えば、円筒形状でもよい。
【００４２】
さらに、内箱３を前後の旋回可能に支持するための支持機構としては、外箱２に溝部を形成し、内箱３に支持棒を取り付けた構成とすることもできる。
【００４３】
さらには、本発明の穀物収納箱を、作り付けの家具に組み込むことも可能である。
【００４４】
【発明の効果】
以上説明したように、本発明の穀物収納箱では、穀物を収納している内箱が外箱内に収納された二重構造をしており、内箱を外箱から前方に引き出すことにより、内箱上端に形成した穀物取り出し口から穀物を取り出し可能とし、さらに、内箱を外箱から前方に引き出すことにより、内箱を外箱から取り外し可能としてある。
【００４５】
従って、本発明の穀物収納箱によれば、穀物を収納している内箱を取り外すことにより、その内部の清掃を簡単に行うことができる。
【００４６】
また、内箱を前方に傾けることにより外箱から引き出すことにより、内箱上端の穀物取り出し口から穀物を取り出すことができるので、従来のように、下端部分に取り出す口が形成されている場合に比べて、設置スペースが少なくて済む。また、穀物取り出しを楽な姿勢で行うことができる。
【００４７】
さらには、外箱上端の蓋板を開けることにより、内箱に穀物を簡単に補給することができる。
【図面の簡単な説明】
【図１】本発明の収納箱を示す斜視図である。
【図２】図１に示す収納箱の外箱を示す斜視図である。
【図３】図１に示す収納箱の内箱を示す斜視図である。
【図４】（Ａ）は図１に示す収納箱の外箱と内箱との支持構造を説明するための説明図、（Ｂ）は図１に示す収納箱の外箱に対して内箱が傾いた状態を説明するための説明図である。
【図５】図１に示す収納箱の外箱から内箱を取り外す際の状態を示す説明図である。
【符号の説明】
１    収納箱
２    外箱
３    内箱
４    蓋板
２０  第１の上側梁部材
２５  支持棒
３０  内箱引き出し口
３１  穀物補給口
４３、４４  第３および第４の垂直枠部材
４３ａ、４４ａ  第３、第４の垂直枠部材の後ろ側部分（後ろ側ストッパ）
４３ｂ、４４ｂ  第３、第４の垂直枠部材の前側角部分（前側ストッパ）
４９、５０  溝部
６１  穀物取り出し口
【図１】
0003959193.tif 000002
【図２】
0003959193.tif 000003
【図３】
0003959193.tif 000004
【図４】
0003959193.tif 000005
【図５】
0003959193.tif 000006